(57)【特許請求の範囲】
【請求項１】
モニタリングされるべき患者のデータを取得するプローブモジュールであって、唾液コルチゾールレベル又は血液コルチゾールレベルを測定する唾液コルチゾールアッセイを含む、プローブモジュールと、
前記取得されたデータに基づいて患者の不安状態を決定する評価モジュールであって、前記唾液コルチゾールレベル又は血液コルチゾールレベルに基づいて前記患者の状態を決定する、評価モジュールと、
前記決定された不安状態を担当スタッフにフィードバックするインジケータモジュールとを有し、
前記評価モジュールが、前記不安状態をフィードバックするように前記インジケータモジュールを制御するのにスタッフ供給力を考慮に入れる、患者モニタリングシステム。
【請求項２】
モニタリングされるべき患者のデータを取得するプローブモジュールであって、唾液コルチゾールレベル又は血液コルチゾールレベルを測定する唾液コルチゾールアッセイを含む、プローブモジュールと、
前記取得されたデータに基づいて患者の不安状態を決定する評価モジュールであって、前記唾液コルチゾールレベル又は血液コルチゾールレベルに基づいて前記患者の状態を決定する、評価モジュールと、
前記決定された不安状態を担当スタッフにフィードバックするインジケータモジュールとを有し、
前記プローブモジュールが、前記患者に投与されるように作成される放射性トレーサの放射線を測定する機能を持ち、
前記評価モジュールが、
前記測定された放射線レベルを受信し、
前記測定された放射線レベル及び前記患者の不安状態に基づいて前記患者に前記放射性トレーサを投与する最適な瞬間を決定する、患者モニタリングシステム。
【請求項３】
モニタリングされるべき患者のデータを取得するプローブモジュールであって、唾液コルチゾールレベル又は血液コルチゾールレベルを測定する唾液コルチゾールアッセイを含む、プローブモジュールと、
前記取得されたデータに基づいて患者の不安状態を決定する評価モジュールであって、前記唾液コルチゾールレベル又は血液コルチゾールレベルに基づいて前記患者の状態を決定する、評価モジュールと、
前記決定された不安状態を担当スタッフにフィードバックするインジケータモジュールとを有し、
前記プローブモジュールが、前記患者に投与された放射性トレーサの放射線を測定する機能を持ち、
前記評価ユニットが、前記患者の不安状態及び前記測定された放射線のレベルに基づいて担当スタッフにフィードバックするように前記インジケータモジュールを制御する、患者モニタリングシステム。
【請求項４】
前記プローブモジュールが、一次データを取得し、オプションとして前記患者の追加データを取得し、
前記評価モジュールが、
前記一次データから前記患者の不安状態の一次評価を行い、オプションとして前記追加データに基づいて前記患者の不安状態の微細評価を行い、
前記一次評価に基づいて前記追加データを取得し、前記微細評価に参加させるように前記プローブモジュールを制御する、請求項１乃至３に記載の患者モニタリングシステム。
【請求項５】
前記評価モジュールが、自己学習機能を含む、請求項１乃至３に記載の患者モニタリングシステム。
【請求項６】
前記評価モジュールが、患者基準データにアクセスし、前記患者基準データを考慮に入れて前記患者の状態を評価する、請求項１乃至３に記載の患者モニタリングシステム。
【請求項７】
前記プローブモジュールが、前記患者をモニタリングするカメラと、前記カメラにより取得された画像情報に基づいて前記患者の不安状態を評価する画像評価モジュールとを含む、請求項１乃至３に記載の患者モニタリングシステム。
【請求項８】
前記プローブモジュールが、生理学的センサと、前記生理学的センサにより取得された生理学的データに基づいて前記患者の不安状態を評価する生理学評価モジュールとを含む、請求項１乃至３に記載の患者モニタリングシステム。
【請求項９】
前記プローブモジュールが、前記患者にアンケートを提示し、前記アンケートに対する応答を受信する、請求項１乃至３に記載の患者モニタリングシステム。
【請求項１０】
患者モニタリングシステムの作動方法において、制御部が、
患者の唾液又は血液におけるコルチゾールを測定するコルチゾールアッセイを用いて得られたデータを含む、モニタリングされるべき患者のデータを取得するステップと、
前記取得されたデータに基づき、患者の不安状態を決定するステップと、
前記決定された不安状態を担当スタッフにフィードバックするよう制御するステップとを有し、
前記フィードバックするよう制御するステップが、スタッフ供給力を考慮に入れる、患者モニタリングシステムの作動方法。
【請求項１１】
患者モニタリングシステムの作動方法において、制御部が、
患者の唾液又は血液におけるコルチゾールを測定するコルチゾールアッセイを用いて得られたデータを含む、モニタリングされるべき患者のデータを取得するステップと、
前記取得されたデータに基づき、患者の不安状態を決定するステップと、
前記決定された不安状態を担当スタッフにフィードバックするよう制御するステップと、
前記患者に投与されるように作成される放射性トレーサの放射線を測定するよう制御するステップと、
前記測定された放射線レベル及び前記患者の不安状態に基づいて前記患者に前記放射性トレーサを投与する最適な瞬間を決定するステップとを有する患者モニタリングシステムの作動方法。
【請求項１２】
患者モニタリングシステムの作動方法において、制御部が、
患者の唾液又は血液におけるコルチゾールを測定するコルチゾールアッセイを用いて得られたデータを含む、モニタリングされるべき患者のデータを取得するステップと、
前記取得されたデータに基づき、患者の不安状態を決定するステップと、
前記決定された不安状態を担当スタッフにフィードバックするよう制御するステップと、
前記患者に投与された放射性トレーサの放射線を測定するよう制御するステップとを有し、
前記フィードバックするよう制御するステップが、前記患者の不安状態及び前記測定された放射線のレベルに基づいて行われる、患者モニタリングシステムの作動方法。
【請求項１３】
患者の唾液又は血液におけるコルチゾールを含む、モニタリングされるべき患者のデータを取得する命令と、
患者の不安状態を決定し、前記決定された不安状態を担当スタッフにフィードバックするよう制御する命令とを含み、
前記フィードバックするよう制御する命令が、スタッフ供給力を考慮に入れる、コンピュータプログラム。
【請求項１４】
患者の唾液又は血液におけるコルチゾールを含む、モニタリングされるべき患者のデータを取得する命令と、
患者の不安状態を決定し、前記決定された不安状態を担当スタッフにフィードバックするよう制御する命令と、
前記患者に投与されるように作成される放射性トレーサの放射線を測定するよう制御する命令と、
前記測定された放射線レベル及び前記患者の不安状態に基づいて前記患者に前記放射性トレーサを投与する最適な瞬間を決定する命令とを含むコンピュータプログラム。
【請求項１５】
患者の唾液又は血液におけるコルチゾールを含む、モニタリングされるべき患者のデータを取得する命令と、
患者の不安状態を決定し、前記決定された不安状態を担当スタッフにフィードバックするよう制御する命令と、
前記患者に投与された放射性トレーサの放射線を測定するよう制御する命令とを含み、
前記フィードバックするよう制御する命令が、前記患者の不安状態及び前記測定された放射線のレベルに基づいて行われる、コンピュータプログラム。
【発明の詳細な説明】
【技術分野】
【０００１】
本発明は、検査されるべき患者のストレス又は不安を評価する機能を持つ患者モニタリングシステムに関する。
【背景技術】
【０００２】
このような患者モニタリングシステムは、Artificial Intelligence in Medicine 36(2006)159-176におけるM. Nilsson他による論文'Clinical decision - support for diagnosis stress-related disorders by applying psychophysiological medical knowledge to an instance -based learning system'から既知である。この既知の患者モニタリングシステムは、心拍パターンを分類する。分類された心拍パターンは、患者がストレス関連障害に悩まされているかどうかを示す。
【発明の概要】
【発明が解決しようとする課題】
【０００３】
本発明の目的は、効率的かつ効果的に検査されるべき患者を安心させることである。特に、本発明は、患者がＸ線検査システム、磁気共鳴検査システム、ＰＥＴシステム、コンピュータ断層撮影システム又はＰＥＴ／ＭＲＩシステム若しくはＰＥＴ／ＣＴシステムのようなハイブリッド撮像システムのような撮像モダリティにおいて検査を受ける必要がある場合に、前記患者の不安レベルを低減するように対処する。
【課題を解決するための手段】
【０００４】
この目的は、
‐モニタリングされるべき患者のデータを取得するプローブモジュール（１０）と、
‐前記取得されたデータに基づいて患者の不安状態を決定する評価モジュール（２０）と、
‐前記決定された不安状態を担当スタッフにフィードバックするインジケータモジュール（３０）と、
を有する本発明の患者モニタリングシステムにより達成される。
【０００５】
前記決定された患者の不安状態に基づいて、前記担当スタッフは通知される。特に、前記不安状態は、定量的な尺度における前記患者の不安レベルを含む。結果的に、前記スタッフは、効率的かつ効果的に患者を安心させるように不安な患者にアプローチすることができる。したがって、前記スタッフは、必要かつ有益である場合に前記患者モニタリングシステムからのフィードバクに基づいて患者を安心させることを可能にされる。特に、本発明は、スタッフがあまり不安ではない患者にアプローチし、前記患者が不要なスタッフの配慮のせいでより不安になることを防ぐ。更に、本発明は、病院スタッフの放射線被ばくを低減し、したがって、病院スタッフが不必要に（例えば核医学（ＰＥＴ）検査において）放射線にさらされることを防ぐ。
【０００６】
本発明は、患者の不安レベルの評価がスタッフのメンバと前記患者との間の対人的相互作用により影響を受けないので、より信頼できる評価を可能にする。前記スタッフの配慮は、前記スタッフに対するフィードバックが対象の患者から取得されたデータに基づくので、個別の患者に対して正確にカスタマイズされる。このようにして、客観的により不安な患者に対してスタッフにより費やされる追加の時間は、実際の医療行為中により不安の影響を受けやすい患者に対して要求されるより少ない時間において利益をもたらす。
【０００７】
このような医療行為の例は、例えば放射性トレーサを必要とする陽電子放出断層撮影又は磁気共鳴撮像による撮像検査である。これらは、不安な患者の落ち着きのなさのために繰り返されることを必要とすることが避けられるべきである高価な撮像行為である。本発明の患者モニタリングシステムの他の利点は、放射性トレーサを含む医療行為における放射線に対する病院スタッフの被ばく時間を最小化することを助けることができることである。最後に、本発明は、患者の健康の全体的な向上に寄与する、より個人化された患者ケアを提供する。
【０００８】
本発明は、異なるタイプの医療行為及び異なる患者の幅広い不安レベルを考慮に入れる。特に、個別の患者が、Ｘ線撮像、コンピュータ断層撮影又は磁気共鳴撮像に基づく撮像検査行為のような様々なタイプの医療行為に対して異なって反応しうる。
【０００９】
更に、本発明は、異なる不安プロファイル、対処様式及び不安レベルに対して異なる不安管理ストラテジを可能にするので、病院又はポイントオブケアのようなヘルスケア施設における不安管理プロトコルの公的な実施を容易化する。本発明は、患者の必要性に対してより良くカスタマイズされる決定を生成し、特定の時間に関与する医師又は看護師の個別の主観的な不安評価から独立な追加の配慮を患者に与えることができる。したがって、患者がアプローチされる又はガイドされる様式は、大きく変化することができる。
【００１０】
本発明の推薦又は評価は、所定の部門における患者‐スタッフ関係において、より多くの調和を作る。一度患者プロファイルが決定されると、これは、例えば同時タイムスロットにおける不安な患者の計画を防ぐことにより、再受診の計画において効率を向上させるのを助けるために記憶されることができる。前記スタッフに対するフィードバックは、異なる形で提供されうる。例えば、前記患者モニタリングシステムは、患者の不安レベルが表示されることができるディスプレイを持つユーザインタフェースを含む。前記患者の不安レベルを表示する魅力的な様式は、'交通信号'である。複数の患者がモニタリングされる又は看護師が移動する行為に対して、携帯型表示装置（例えば"ｉＰｈｏｎｅ"又は"ｉＰａｄ"）が、好適なインタフェースであることができる。
【００１１】
本発明のこれら及び他の態様は、従属請求項において規定される実施例を参照して更に説明される。
【００１２】
本発明の患者モニタリングシステムの一態様において、前記プローブモジュールは、前記患者の不安レベルの一次評価を生成するように前記評価モジュールにより使用される一次データを取得する。好ましくは、前記評価された不安レベルに対する信頼性スコアも計算される。前記信頼性スコアは、標準偏差又は変分の係数のような統計的拡張尺度であることができる。
【００１３】
上記の単純な統計的拡張尺度の代わりに、より洗練されたアルゴリズムが、条件付き又はベイズ確率、決定樹等のような確率及び／又は信頼性スコアを決定するように複数のソースからの情報を結合するのに使用されうる。
【００１４】
前記患者の不安レベルの一次評価に基づいて、オプションとして、前記計算された信頼範囲を考慮に入れる場合、追加のデータが、取得され、前記患者の不安レベルのより微細な評価を行うのに使用されうる。特に、本発明のこの態様において、前記一次データ取得は、前記患者及び／又は前記スタッフに対してあまり押しつけがましくない。したがって、より押しつけがましい追加のデータ取得が、そうする本当の必要性が存在する場合にのみアクティブにされることが達成される。換言すると、より押しつけがましいデータ取得は、前記患者の不安レベルが、前記一次データに基づいて信頼できる形で評価されることができ、前記患者のより押しつけがましくないアプローチを要求するだけである場合に避けられる。
【００１５】
本発明の他の態様において、本発明の患者モニタリングシステムは、自己学習機能を設けられる。この態様において、前記患者モニタリングシステムは、前記スタッフが前記評価された不安レベルを確かめる又は無効にすることができるユーザインタフェースを設けられる。前記スタッフからのこの入力は、記憶され、前記取得されたデータと前記評価されるべき不安レベルとの間の関係を更新するのに使用される。この場合、前記更新された関係は、記憶され、未来の使用に対して前記評価モジュールに対して利用可能にされる。この自己学習態様は、個別の患者に割り当てられうるが、より幅広いグループからの患者の不安の評価にも使用されることができる。例えば、時間とともに、第１のＰＥＴスキャンにおけるリンパ腫患者に対する不安レベルが典型的にはフォローアップスキャンにおけるものより大幅に高いことが、明らかになりうる。
【００１６】
本発明の他の態様において、前記評価モジュールは、所定の不安レベルに関連付けられた記憶された患者基準データを設けられる、又は前記記憶された患者基準データに対するアクセスを設けられる。前記所定の不安レベルに関連付けられる基準データセット内の複数のパラメータは、前記患者の不安レベルのより信頼できる推定値を生じる。基準データの例は、患者の性別、年齢、喫煙行動、教育レベル、又は特性不安若しくは好適な対処様式のような性格特性を含むデモグラフィックプロファイルである。
【００１７】
本発明の他の態様において、前記プローブモジュールは、前記患者の画像情報を取得するカメラシステムを設けられる。特に、前記カメラシステムは、複数の患者を同時に、又は医療行為を受ける前に待合室にいる間に撮像するように構成されることができる。前記画像情報から、心拍数、呼吸数、動き、顔の表情、瞳孔サイズ（直径）のような、前記撮像された患者の複数のパラメータが、得られることができる。画像ベースの呼吸モニタリングは、欧州特許出願１０１６０５７１．５（ＰＨ０１４９０５）において述べられている。これらのパラメータの１つ又は複数を基準分布と比較することにより、前記患者の不安レベルが、評価されることができる。
【００１８】
本発明の他の態様において、前記プローブモジュールは、生理学的センサを設けられる。前記評価モジュールは、前記生理学的センサにより取得された生理学的データから前記患者の不安レベルを評価する。例えば、前記生理学的センサは、前記患者の皮膚の温度を測定する温度センサ、又は前記患者の皮膚の導電性を測定する導電性センサ（オームメータ）でありうる。
【００１９】
本発明の次の態様において、前記プローブモジュールは、前記患者にアンケートを提示する。典型的なアンケートの例は、"落ち着いている"、"安心している"、"緊張している"のような２０の質問からなるスピールバーガーの状態不安インベントリである。前記質問の各々は、１（全然そうではない）から５（非常にそうである）までの離散的な５段階評価（リッカート尺度と称される）で応答されなければならない。
【００２０】
前記評価モジュールは、前記アンケートに対する応答から前記不安レベルを算出する。ほとんどの心理学的アンケートに対して、基準表が、複数の基準人口（例えば男性、高齢、学生等）に対して公開されている。
【００２１】
本発明の特定の態様において、前記プローブモジュールは、前記患者の唾液内のコルチゾールを測定するコルチゾールアッセイを含む。代替的には、血液コルチゾールレベルが、使用されうる。心理学的ストレスが、コルチゾールレベルの後の上昇を持つコルチコトロピン放出ホルモン及び副腎皮質刺激ホルモンの放出を生じることは、Kirschbaum, C., & Hellhammer, D. (1994) 'Salivary cortisol in psychoneuroendocrine research:Recent developments and applications' in Psychoneuroendocrinology, 19(1994)313-333から既知である。
【００２２】
本発明の他の態様において、前記評価モジュールは、前記患者の不安状態に関するフィードバックをスタッフに提供するのにスタッフ供給力を考慮に入れる。この実施において、前記評価モジュールは、例えば計画されたスタッフ勤務スケジュール又はスタッフの現在の活動の情報に対するアクセスを持つ。例えば、前記評価モジュールは、より少ないスタッフが供給可能である場合にフィードバックを低下し、より高い不安レベルを示す患者に限定されたフィードバックを提供する。このようにして、本発明の患者モニタリングシステムは、スタッフの配置の効率を向上させる。特に、スタッフは、更に忙しい場合、あまり不安ではない患者に付き添い、安心させることができるスタッフが存在しないので、あまり不安ではない患者に関するフィードバックをより少なく提供される。他方で、より多くのスタッフが供給可能であると、前記評価モジュールは、あまり不安でない患者に関するフィードバックをも提供するように前記インジケータモジュールを制御する。
【００２３】
他の態様において、本発明は、核医学の分野において、特にＰＥＴ（陽電子放出断層撮影）と併せて、応用される。この実施例において、前記プローブモジュールは、検査されるべき患者に投与されるように作成された放射性トレーサ造影剤の放射線を測定する更なる機能を持つ。前記放射線は、半導体放射線センサ又はガイガーカウンタ型の装置で測定されることができる。放射線の測定されたレベルは、前記評価モジュールに与えられる。前記評価モジュールは、例えば注射又は点滴により、放射性トレーサ造影剤を投与する最適な瞬間及び前記患者の不安状態を決定する。核医学における本発明の応用の目的は、臨床的ワークフローを向上させることである。核医学において、マッサージ療法のようなストレスを低減させる従来の慣習は、放射性造影剤の摂取を悪化させるリスクのために従来は使用されないことが観察される。核医学において、前記ワークフローは、前記放射性トレーサ造影剤の半減期による要件により支配されている。例えば、放射性18Ｆは、約１１０分のかなり短い半減期を持ち、実際のＰＥＴスキャンが実行される少し前に例えばフルオロデオキシグルコース（18ＦＤＧ）の形で前記患者に投与される必要がある。本発明は、放射線が比較的高い間に、前記患者が比較的リラックスしているときに最適に前記放射性造影剤を与えることが可能である。患者不安（又はストレス）レベルが低いので、取得される画像データに対する患者ストレスによる摂動が避けられ、診断画質が向上される。特に、前記患者の不安レベルが低いので、前記画像データ内の腫瘍‐背景放射線が高く、前記画像における偽陽性のレベルは低い。特に、前記検査されるべき患者の不安レベルが低いので、がん細胞を含みえないが例えば筋肉活動による異常代謝亢進（hypermetabolistic）領域は、避けられる。他方で、前記放射性造影剤を投与する瞬間が最適化される場合、放射線に対する過剰な被ばくが、診断画質に負の影響を与えることなしに避けられることができる。したがって、本発明は、放射性造影剤を投与する瞬間を最適化し、造影剤の摂取中に及び画像データの実際の取得中に、例えばＰＥＴスキャン中に前記患者の不安レベルを低減することを可能にする。これらの効果は、担当スタッフがより効率的に配置され、放射線に対してより少なくさらされる改良された臨床的ワークフローと一緒に更に達成される。ワークフローは、測定される放射線と一緒にスタッフ供給力を考慮に入れることにより更に向上される。本発明の実際的な例において、前記プローブモジュールは、前記患者により着用されるブレスレットとして形成される。前記ブレスレット又はリストバンドは、前記患者のデータを取得するセンサ及び放射線センサの両方を組み込み、前記患者のデータから不安状態が決定される。例えば、半導体放射線センサ及び皮膚導電率を測定するセンサが、このようなブレスレットに組み込まれることができる。前記ブレスレットは、前記患者に対して押しつけがましくなく、前記患者の不安を本質的に増加させない。
【００２４】
本発明のこれら及び他の態様は、以下に記載される実施例を参照して及び添付の図面を参照して説明される。
【図面の簡単な説明】
【００２５】
【図１】ポイントオブケアにおいて実施される患者モニタリングの図表示を示す。
【図２】核医学において使用される本発明の他の例を概略的に描く。
【発明を実施するための形態】
【００２６】
図１は、診療所又は撮像モダリティ室のようなポイントオブケアにおいて実施される患者モニタリングの図表示を示す。本発明の患者モニタリングシステム１は、検査されるべき患者からデータを取得するプローブモジュール１０を有する。図１の例において、２つのカメラ１１が、前記患者の心拍による動き、呼吸パターン、動き、瞳孔サイズ（直径）及び顔の表情を撮像するように設けられる。これらの画像の画像分析から、前記患者の不安レベルが評価される。このために、前記評価モジュールは、通常はソフトウェアで実施される画像分析及び評価機能を設けられる。図１に示されるセットアップにおいて、待合室２内の二人の患者、患者Ａ及び患者Ｂが、個別にモニタリングされることができる。前記患者の各々に対して、フォトプレチスモグラフィセンサ１３が、前記患者の脈拍数を取得するように設けられる。更に、前記患者の各々に対するアンケートに対するアクセスを施すアンケートコンソール１２が、設けられる。例えば状態不安アンケート又は特性不安アンケートが、使用されうる。前記アンケートコンソールは、これらのアンケートに対する前記患者の応答を出力する。第２段階において、対処様式又は特性不安のような関連する性格特性に関する情報を提供する"特性"アンケートが使用される。例は、病院不安及びうつ尺度、スピールバーガーの特性不安インベントリ及び対処動作選好調査である。
【００２７】
プローブモジュール１０により取得されるデータは、データ接続上で評価モジュール２０に与えられる。前記プローブモジュールからのデータに基づいて、前記評価モジュールは、個別の患者に対する不安推定値を計算する。前記評価モジュールは、出力不安推定値を、例えば核個別の患者に対する'交通信号'の形式で、インジケータモジュール３０に供給する。したがって、前記評価モジュールは、前記患者の不安レベルを評価し、前記評価を前記スタッフにフィードバックする。前記'交通信号'は、例えば評価モジュール２０により生成される指示に応答して前記スタッフにより与えられることができるボタンの形式で、フィードバックオプションを設けられうる。前記スタッフのフィードバックは、前記評価モジュールの評価を承認する又は却下することでありうる。前記スタッフのフィードバックは、前記評価モジュールの自己学習機能により精度を向上させるように使用される。
【００２８】
更に、評価モジュール２０は、メモリユニット４０内の記憶された基準データに対するアクセスを設けられる。前記メモリユニットは、前記患者の性別、年齢、検査のタイプ、受診の総数を含むデモグラフィックプロファイルを含む。
【００２９】
前記評価モジュールは、複数の階層レベルにおいて前記患者の不安レベルを評価し、前記評価の階層レベルに基づいて追加のデータを実行するように前記プローブモジュールを制御する機能をも持つ。前記階層レベルは、例えば一次評価、及びそれぞれ一次及び追加のデータを要求する更に増加的に微細な評価を含む。例えば、すでに前記一次評価において、前記評価された不安レベルの信頼性スコアが計算され、これに基づいて次の階層レベルがアクティベートされる。これの一例において、患者は大人の男性である。第１の変数は、１２０拍／分において測定された心拍数である。前記評価システムは、ストレスを受けた男性に対する心拍数の確率分布関数を知っており、これによりストレス下の男性が１２０以下の心拍数を持つ確率が９０％であると決定する。同様に、ストレス確率が、第２及び第３の変数（例えば呼吸数及び瞳孔サイズ）に対して計算される。これらの変数に対して、それぞれのストレス確率は、４０％及び８０％である。これは、信頼性インデックスとして２６％の標準偏差を持つ７０％の平均ストレス確率（すなわち赤信号）を生じる。
【００３０】
増加する階層は、検査されるべき患者に対して増加する押しつけがましさレベルを持つ。次のレベルへの上昇を制御するために、前記患者モニタリングシステムは、制御バスを有し、前記制御バス上で、制御信号が、評価モジュール２０からプローブモジュール１０、特にカメラ、アンケートコンソール等のような前記プローブモジュールのデータ取得コンポーネントに転送される。前記評価モジュールは、現在のレベルにおける評価がプリセット閾値より低い信頼性レベルを持つ場合に、より高い階層レベルを始めるように構成される。
【００３１】
核医学において応用される本発明の他の例は、図２に概略的に描かれている。患者ストレスレベルは、早い段階で臨床医５１に通信され、前記臨床医が患者リラクセーションのために適切なステップを取る（例えば、必要であると予測される場合に追加の時間をスケジュールする）のを助ける。次に、前記臨床医は、場合により技術５２＞５３により支援されて、前記患者をリラックスさせることを目的とする。注射システムが、前記患者が十分にリラックスしていることに気が付くとすぐに、ＦＤＧ記憶ユニットがトリガされる５４。前記ＦＤＧ記憶ユニットは、（所望の線量及び現在の放射線を与えられて）最適なＦＤＧ量を決定し、前記ＦＤＧを注射ユニット５５に送信し、注射ユニット５５は、前記ＦＤＧを患者５６に注入する。
【図１】
0005997166.tif 000002
【図２】
0005997166.tif 000003